(57)【要約】      （修正有）【課題】手持ちの画像の３次元座標計測及び３次元モデリングの結果を知りたい顧客と操作手法を熟知した解析オペレーターとの課金システムを介したマッチング、及び、生産された３次元モデルをモデル購入希望者に紹介する手段を提供する。【解決手段】３次元座標計測及び３次元モデリングの解析に必要な条件を画像データから抽出し、解析可能なソフトウェア名と内容を顧客に通知する。操作手法を熟知した解析オペレーターに抽出した条件を開示し、その解析オペレーターが選択する作業同意条件に応じた契約が出来る課金システムを介し、解析オペレーターの合意を顧客に通知する。また、顧客の合意の下で、得られた３次元座標計測結果及び３次元モデルを一般に開示し、モデル購入希望者が解析オペレーターの査定した価格を支払う選択肢を含む同意条件に応じた契約が出来る課金システムを介し、顧客、解析オペレーター及びモデル購入希望者とのマッチングを行なう。【選択図】図１
2012150775.tif 000002
【特許請求の範囲】
【請求項１】
ネットワークに接続されたアプリケーションサーバーと、双方向通信が可能な端末とで構成されるシステムであって、前記アプリケーションサーバーは、プログラムを実行するＣＰＵを有し、前記プログラムは前記アプリケーションサーバーを、
前記端末から受信したデジタル画像を記憶保存する手段、
前記記憶保存したデジタル画像から、デジタル画像を用いた３次元座標計測および３次元モデリングを行なう専用のソフトウェアの解析に必要な条件を画像データから抽出し、解析可能なソフトウェア名と解析可能な内容を、前記画像を送付した顧客に通知する手段、
前記デジタル画像を送信した端末とデータを送受信する手段、
デジタル画像を用いた３次元座標計測および３次元モデリングを行なう解析オペレーターとデータを送受信する手段、
前記デジタル画像を用いた３次元座標計測および３次元モデリングを行なう解析オペレーターから送付されたモデルデータを記憶保存する手段、
及び、デジタル画像を送信した顧客と、デジタル画像を用いた３次元座標計測および３次元モデリングを行なう解析オペレーター、及び、解析オペレーターから送付されたモデルデータの購入を希望するモデル購入希望者との間で、価格、納期、支払い条件をプロセスに応じ段階的に送受信する手段
として機能させ、
画像を送付した顧客（以下、顧客）、デジタル画像を用いた３次元座標計測および３次元モデリングを行なう解析オペレーター（以下、解析オペレーター）、及び、モデルデータの購入を希望するモデル購入希望者（以下、モデル購入希望者）との間の取引を支援するシステム
【請求項２】
請求項１のシステムにおいて、解析を行なうソフトウェアの操作手法を熟知した解析オペレーターに、顧客からのデジタル画像データの内容から抽出した条件を開示して、その解析オペレーターが、モデル購入希望者が現れた場合にのみ支払われるケースを含む選択肢から選択する作業同意条件に応じた契約が出来る課金システムを特徴とした、解析オペレーターの合意を顧客に通知が出来るシステム
【請求項３】
請求項１のシステムにおいて、顧客の合意の下で、解析で得られた３次元座標計測結果および３次元モデルを一般に開示し、モデル購入希望者が解析オペレーターの査定した価格を支払う選択肢を含む同意条件に応じた契約が出来る課金システムを特徴とした、顧客と解析オペレーター、及び、モデル購入希望者との需給マッチングを行なうシステム
【発明の詳細な説明】
【技術分野】
【０００１】  本発明は、デジタル画像を用いて３次元座標計測と３次元モデリングを行なうことにおいて、その用途に供する顧客から送付されたデジタル画像の情報の量と質に応じ、そのデジタル画像で対応できる解析方法とその結果の精度を的確に判断し、顧客にその情報を還元すると共に、そのデジタル画像による３次元座標計測と３次元モデリング作業の労務を提供する解析オペレーターにその情報を開示し、課金システムを介して顧客と解析オペレーターとの需給マッチングができる支援システム、更に、顧客に対し、解析によって得られた３次元モデリングの結果を必要とするモデル購入希望者を紹介する支援システムに関する。
【背景技術】
【０００２】  デジタルカメラの高性能化、画像の高解像度が進み、また、デジタル画像を用いた３次元座標計測と３次元モデリングを実現するソフトウェアも多様化している。
【発明の開示】
【発明が解決しようとする課題】
【０００３】  しかし、従来のデジタル画像を用いた３次元座標計測および３次元モデリングでは、用途に応じた専用のソフトウェアを購入し、それに適した画像の撮影方法と撮影条件、および、ソフトの操作方法を習得した上で計測および３次元モデリングを行なわなければならず、画像の情報の量と質によっては、その画像で対応できる解析方法や、得られる精度にばらつきがあり、それぞれのソフトに応じた画像の撮影方法と撮影条件のパラメータを熟知した上でないと求める結果の信頼性が確かめられない。【０００４】  これら操作手法を熟知した解析オペレーターがいる一方で、デジタルカメラの普及で、３次元座標計測および３次元モデリングに供することの出来るデジタル画像を持っている顧客が増えたにも関わらず、その画像を用いた３次元座標計測および３次元モデリングサービスの利用方法がわからない、または、解析依頼を依頼するにしても費用が心配で躊躇してしまう顧客がいる。また、画像解析で得られた３次元座標計測結果および３次元モデルを必要としているモデル購入希望者へのモデルの紹介方法も普及していない。【０００５】  本発明は、画像を所有している顧客が、その画像から３次元座標計測および３次元モデリングによってどのような解析が可能かを知る方法、また、画像を所有している顧客と、３次元座標計測および３次元モデリング操作手法を熟知した解析オペレーターとの課金システムを介した需給マッチング、および、画像を提供した顧客に対するモデル購入希望者の紹介方法を課題とする。
【課題を解決するための手段】
【０００６】  上記の課題を解決するための請求項１の発明は、各種のデジタル画像を用いた３次元座標計測および３次元モデリングを行なう専用のソフトウェアの解析に必要な条件を画像データから抽出し、解析可能なソフトウェア名と解析内容を顧客に通知するシステムを構築し、顧客に提供可能なサービスの開示を行なうと共に、請求項２の発明である、解析を行なうソフトウェアの操作手法を熟知した解析オペレーターに、抽出した条件を開示して、その解析オペレーターが、モデル購入希望者が現れた場合にのみ支払われるケースを含む選択肢から選択する作業同意条件に応じた契約が出来る課金システムを介し、顧客と解析オペレーターの需給マッチングを行なう。更に、請求項３の発明である、顧客の合意の下で、解析で得られた３次元座標計測結果および３次元モデルを一般に開示し、モデル購入希望者が解析オペレーターの査定した価格を支払う選択肢を含む同意条件に応じた契約が出来る課金システムを介し、顧客と解析オペレーター、及び、モデル購入希望者との需給マッチングを行なうシステムを構築し、画像を提供した顧客と、解析を行なう解析オペレーターの需給マッチングにて生産された３次元モデルを、モデル購入希望者に紹介する手段を提供する。
【発明の効果】
【０００７】  本発明により、従来、多くのデジタル画像データを持っていてもそのデータから３次元座標計測および３次元モデリングをする方法がわからない顧客が、その画像が利用できる画像解析を行なうソフトウェアの操作手法を熟知した解析オペレーターとのマッチングで、３次元モデルを入手することが出来るようになるため、多くの人が３次元モデルによる便宜を受けることが出来、更に、そうして得られた多くの３次元座標計測結果および３次元モデルを、それを必要とする購入希望者に紹介し役立てる手段を提供することが出来る。
【図面の簡単な説明】
【０００８】
【図１】  本発明に係る実施の形態によるデジタル画像３次元解析サービス紹介及びモデル販売システムの概略構成を示すフロー図である。
【図２】  解析オペレーターが選択する「作業同意条件メニュー」である。
【図３】  顧客に通知する「モデル受領条件メニュー」である。
【符号の説明】
【０００７】１  画像を提供する顧客端末
２  デジタル画像３次元解析サービス紹介及びモデル販売システムサーバー
３  解析オペレーター端末
４  モデル購入希望者端末
５  顧客から送付された画像データを持続的に保存する記録部
６  解析オペレーターが作成した３次元モデルデータを持続的に保存する記録部
【発明を実施するための形態】
【０００８】  以下、本発明の実施の形態を添付した図面に基づいて説明する。
【０００９】  図１に示すように、本発明は、画像を提供する顧客端末１、デジタル画像３次元解析サービス紹介及びモデル販売システムサーバー２、解析オペレーター端末３、モデル購入希望者端末４から構成される。
【００１０】  デジタル画像３次元解析サービス紹介及びモデル販売システムサーバー２は、顧客から送付された画像データを持続的に保存する記録部５、解析オペレーターが作成した３次元モデルデータを持続的に保存する記録部６を備える。
【００１１】  以下、本実施の形態に係るデジタル画像３次元解析サービス紹介及びモデル販売システムの運用方法を説明する。
【００１２】  画像を持つ顧客は、「画像を提供する顧客端末１」より、「デジタル画像３次元解析サービス紹介及びモデル販売システムサーバー２」にアクセスし、「画像を顧客から送付された画像データを持続的に保存する記録部５」に送付する。
【００１３】  「デジタル画像３次元解析サービス紹介及びモデル販売システムサーバー２」は、送付された画像データから情報を抽出し、各解析ソフトウェアで必要とする条件を満たしているか確認し、満たしていれば、複数の「解析オペレーター端末３」へその条件を送付し、満たしてなければ、「画像を提供する顧客端末１」に、解析不可能である旨の通知を行なう。
【００１４】  抽出されたデータを送付された解析オペレーターは、その条件では解析不可能と判断した場合は、「解析オペレーター端末３」より、「デジタル画像３次元解析サービス紹介及びモデル販売システムサーバー２」へ、解析不可能である旨の通知を行ない、解析可能と判断した場合は、図２に示す、解析オペレーターが選択する「作業同意条件メニュー」を完成させ、「デジタル画像３次元解析サービス紹介及びモデル販売システムサーバー２」へ送付し通知する。
【００１５】  通知を受けた「デジタル画像３次元解析サービス紹介及びモデル販売システムサーバー２」は、画像を送付した顧客に対し「画像を提供する顧客端末１」へ、解析オペレーターが送付した「作業同意条件メニュー」を送付する。複数の解析オペレーターからの回答がある場合には、複数を送付する。
【００１６】  解析オペレーターからの「作業同意条件メニュー」を受領した顧客は、合意できる条件提示が無い場合は、「デジタル画像３次元解析サービス紹介及びモデル販売システムサーバー２」へ、解析不要である旨の通知を行ない、合意できる条件提示がある場合は、条件に合意する旨の通知を行なう。複数の解析オペレーターへの通知がある場合には、複数へ送付する。
【００１７】  通知を受けた「デジタル画像３次元解析サービス紹介及びモデル販売システムサーバー２」は、条件が合意された解析オペレーターに対し、「解析オペレーター端末３」へ合意条件を通知し、該当する画像がダウンロードできるパスワードを送付する。
【００１８】  通知を受けた解析オペレーターは、画像データＤＢより、送付されたパスワードによってアクセス可能になった顧客からの画像をダウンロードし、３次元座標計測および３次元モデリング作業を完成させ、成果物である３次元モデルを「デジタル画像３次元解析サービス紹介及びモデル販売システムサーバー２」内の「解析オペレーターが作成した３次元モデルデータを持続的に保存する記録部６」に送付し、引き換えに報酬である対価を得る権利を受領する。
【００１９】  成果物である３次元モデルを受領した「デジタル画像３次元解析サービス紹介及びモデル販売システムサーバー２」は、画像を送付した顧客に対し「画像を提供する顧客端末１」へ、図３に示す、顧客に通知する「モデル受領条件メニュー」を送付すると共にモデル完成の通知をする。
【００２０】  通知を受けた顧客は、条件が作業依頼時にすでに選択済みの場合は、その条件に従い、支払い手続きを行いモデルを受領するか、すでに公開の意思を選択していたがモデルを非公開にしたい場合は、一定期間内にその旨を「デジタル画像３次元解析サービス紹介及びモデル販売システムサーバー２」に通知する。
【００２１】  一定の期間を経て、顧客よりモデルを非公開にしたい旨の通知が無い場合は、「デジタル画像３次元解析サービス紹介及びモデル販売システムサーバー２」は、「解析オペレーターが作成した３次元モデルデータを持続的に保存する記録部６」内の公開モデルＤＢにモデルを保存し、「モデル購入希望者端末４」に公開モデル追加の通知を行い、モデル購入希望者に対し購入を募る。
【００２２】  通知を受けたモデル購入希望者、または、「デジタル画像３次元解析サービス紹介及びモデル販売システムサーバー２」内のモデルを閲覧できるものは、「モデル購入希望者端末４」より「デジタル画像３次元解析サービス紹介及びモデル販売システムサーバー２」内の公開モデル概要を閲覧し、購入を希望するモデルがあればデジタル画像３次元解析サービス紹介及びモデル販売システムサーバー２」に対し、購入の意思を通知し、支払い手続きを行なう。
【００２３】  通知を受けた「デジタル画像３次元解析サービス紹介及びモデル販売システムサーバー２」は、支払い手続きが完了しているのを確認し、支払いを行なったモデル購入希望者及び、画像を提供した顧客にモデルを送付する、あるいは、公開モデルＤＢからダウンロードが許可されるパスワードを受領し、モデルをダウンロードする。
【産業上の利用可能性】
【００１５】  本発明により、従来、多くのデジタル画像データを持っていてもそのデータから３次元座標計測および３次元モデリングをする方法がわからない顧客がいたのに対し、その画像が利用できる画像解析を行なうソフトウェアの操作手法を熟知した解析オペレーターとのマッチングが出来るようになり、更に、得られた３次元座標計測結果および３次元モデルを、それを必要とする購入希望者に紹介する手段を提供することが出来る。
【図１】
2012150775.tif 000003
【図２】
2012150775.tif 000004
【図３】
2012150775.tif 000005